(57)【要約】【課題】シール性を高め、過酷な条件下であっても泥水やダスト等の異物が侵入するのを抑制することができる密封装置を提供する。【解決手段】互いに同一軸線上に配置されてスプライン同士を歯合させた大径側スプライン軸および小径側スプライン軸の間の開口部を封止する密封装置であって、大径側スプライン軸に固定される筒状の取付部と、取付部の軸方向一方の端部から径方向内方へ向けて設けられ開口部を閉塞するリップ状のシール部とを一体に有する密封装置において、取付部またはシール部の軸方向一方の側に、筒状を呈するカバー部を一体に設ける。カバー部の内周面を軸方向一方へ向けて内径寸法が徐々に拡大する向きのテーパ面とする。カバー部の内周面に回転時に流体ポンピング作用を発揮するネジ部を設ける。【選択図】図１
2017155807.tif 000002
【特許請求の範囲】
【請求項１】
互いに同一軸線上に配置されてスプライン同士を歯合させた大径側スプライン軸および小径側スプライン軸の間の開口部を封止する密封装置であって、前記大径側スプライン軸に固定される筒状の取付部と、前記取付部の軸方向一方の端部から径方向内方へ向けて設けられ前記開口部を閉塞するリップ状のシール部とを一体に有する密封装置において、
前記取付部または前記シール部の軸方向一方の側に、筒状を呈するカバー部を一体に設けたことを特徴とする密封装置。
【請求項２】
請求項１記載の密封装置において、
前記カバー部の内周面を軸方向一方へ向けて内径寸法が徐々に拡大する向きのテーパ面としたことを特徴とする密封装置。
【請求項３】
請求項１または２記載の密封装置において、
前記カバー部の内周面に回転時に流体ポンピング作用を発揮するネジ部を設けたことを特徴とする密封装置。
【発明の詳細な説明】
【技術分野】
【０００１】
本発明は、シール技術に係る密封装置に関し、更に詳しくは、スプライン軸に用いられるのに適した密封装置に関する。
【背景技術】
【０００２】
従来から図２および図３に示す密封装置５１が知られており、この密封装置５１は、互いに同一軸線上に配置されてスプライン同士を歯合させた大径側スプライン軸６１および小径側スプライン軸７１の間の開口部８１を封止するために用いられる。
【０００３】
また、この密封装置５１は、大径側スプライン軸６１の軸方向一方（図２および図３（Ｂ）では右方）の端部外周に固定される筒状の取付部５２を有し、この取付部５２の軸方向一方の端部から径方向内方へ向けて、開口部８１を閉塞するシール部５３が一体に設けられている。シール部５３はリップ状とされ、その内周端部には、小径側スプライン軸７１の外周面に設けたスプラインに沿って凹凸を円周方向に多数並べた凹凸形状５４が設けられている。
【先行技術文献】
【特許文献】
【０００４】
【特許文献１】実開昭５５−７０６６１号公報
【発明の概要】
【発明が解決しようとする課題】
【０００５】
上記構成の密封装置５１は例えば、自動車関連の分野で用いられ、外部の泥水やダスト等の異物が両軸６１，７１間の隙間部に侵入しないようにシールするものであって、一般的な舗装道路など、泥水やダスト等の異物が比較的浸入しにくい状況では十分なシール作用を発揮する。しかしながら、悪路（泥道、砂利道）等の過酷な条件下ではシール性が不足し、泥水やダスト等の異物が侵入することがある。
【０００６】
本発明は以上の点に鑑みて、シール性を高め、過酷な条件下であっても泥水やダスト等の異物が侵入するのを抑制することができる密封装置を提供することを目的とする。
【課題を解決するための手段】
【０００７】
上記目的を達成するため、本発明の密封装置は、互いに同一軸線上に配置されてスプライン同士を歯合させた大径側スプライン軸および小径側スプライン軸の間の開口部を封止する密封装置であって、前記大径側スプライン軸に固定される筒状の取付部と、前記取付部の軸方向一方の端部から径方向内方へ向けて設けられ前記開口部を閉塞するリップ状のシール部とを一体に有する密封装置において、前記取付部または前記シール部の軸方向一方の側に、筒状を呈するカバー部を一体に設けたことを特徴とする。
【０００８】
上記構成を備える本発明の密封装置では、開口部を閉塞するシール部からカバー部が庇状に張り出すため、泥水やダスト等の異物がシール部に近付きにくくなり、少なくとも近付く量を減少させることが可能となる。
【０００９】
カバー部の内周面を軸方向一方へ向けて内径寸法が徐々に拡大する向きのテーパ面とした場合には、カバー部の内周側に泥水やダスト等の異物が侵入したときにこの異物を回転時の遠心力によりテーパ面の傾斜に沿って戻すことが可能となる。
【００１０】
カバー部の内周面に回転時に流体ポンピング作用を発揮するネジ部を設けた場合には、カバー部の内周側に泥水やダスト等の異物が侵入したときにこの異物を回転時の流体ポンピング作用によりネジ部の螺旋に沿って戻すことが可能となる。
【発明の効果】
【００１１】
本発明においては、上記カバー部、テーパ面、ネジ部によってシール性を高めることができ、過酷な条件下であっても泥水やダスト等の異物が侵入するのを抑制することができる。
【図面の簡単な説明】
【００１２】
【図１】本発明の実施例に係る密封装置を示す図で、（Ａ）はその要部正面図、（Ｂ）はその要部断面図であって（Ａ）におけるＤ−Ｄ線断面図
【図２】従来例に係る密封装置の装着状態を示す要部断面図
【図３】従来例に係る密封装置を示す図で、（Ａ）はその要部正面図、（Ｂ）はその要部断面図であって（Ａ）におけるＣ−Ｃ線断面図
【発明を実施するための形態】
【００１３】
つぎに本発明の実施例を図面にしたがって説明する。
【００１４】
図１は、本発明の実施例に係る密封装置１１を示している。当該実施例に係る密封装置１１は、互いに同一軸線上に配置されてスプライン同士を歯合させた大径側スプライン軸６１および小径側スプライン軸（図示せず）の間の開口部を封止するために用いられ、更に自動車関連の分野で用いられる。大径側スプライン軸６１はその筒状部内周面にスプライン（図示せず）を備え、小径側スプライン軸はその外周面にスプラインを備え、スプライン同士を歯合させる。密封装置はスプラインシャフト用シールとも称される。
【００１５】
また、この密封装置１１は、大径側スプライン軸６１の軸方向一方（図１（Ｂ）では右方）の端部外周に固定（嵌合）される筒状の取付部１２を有し、この取付部１２の軸方向一方の端部から径方向内方へ向けて、開口部を閉塞するリップ状のシール部（シールリップ部とも称する）１３が一体に設けられている。シール部１３の内周端部には、小径側スプライン軸の外周面に設けたスプラインに沿って凹凸を円周方向に多数並べた凹凸形状（スプライン部とも称する）１４が設けられている。取付部１２の内周面には、大径側スプライン軸６１の外周面に設けた溝状係合部６２に係合する抜け止め用の突起状係合部１５が一体に設けられている。シール部１３はその軸方向他方（図１（Ｂ）では左方）の端面１６が大径側スプライン軸６１の先端面６３であって開口部周縁部に突き当てられた状態で装着される。
【００１６】
また、取付部１２の軸方向一方の側に位置して、所定の軸方向長さを備える筒状のカバー部１７が一体に設けられており、このカバー部１７はシール部１３から軸方向一方へ向けて庇状に張り出すことになる。
【００１７】
筒状のカバー部１７の内周面は、軸方向一方へ向けて内径寸法が徐々に拡大する向きに傾斜したテーパ面１８として形成されている。
【００１８】
筒状のカバー部１７の内周面には、回転時に流体ポンピング作用を発揮するネジ部１９が設けられている。ネジ部１９は具体的には、複数の螺旋状の溝によって形成されているが、複数の螺旋状の突起よりなるものであっても良い。螺旋の向きは、ネジ部１９の軸方向一方の端部（カバー部１７先端側の端部）１９ａが軸方向他方の端部（カバー部１７基端側の端部）１９ｂに対しスプライン軸の回転方向の後方側に変位する向きとされている。
【００１９】
密封装置１１は、所定の樹脂材またはゴム状弾性材によって一体に成形されており、具体的にはポリウレタンエラストマーよりなるが、そのほか、ＰＴＦＥ、ＰＡ、ＰＦＡ、ＥＴＦＥなどの熱可塑性樹脂よりなるものであっても良い。
【００２０】
また、各部の寸法などは一例として、以下のように設定されている。
・カバー部１７の高さ寸法（軸方向長さ）Ｈ１は、シール全体の高さ寸法Ｈに対し３０〜６０％とされている。
・カバー部１７の肉厚寸法Ｔ１，Ｔ２は、シール部１３の肉厚寸法Ｔに対し２０〜３０％とされている。
・カバー部１７の先端部の肉厚寸法Ｔ１とカバー部１７の基端部の肉厚寸法Ｔ２は、Ｔ１＜Ｔ２の関係とされ、これにより上記テーパ面１８が形成されている。
・上記ネジ部１９とされる螺旋状の溝の溝幅はカバー部１７の先端部の内径寸法φｄに対し２〜６％、溝深さは１ｍｍ、溝角度（螺旋角度）は２５〜５０度、溝の間隔（ピッチ）は５〜１５ｍｍとされている。
【００２１】
上記構成を備える密封装置１１においては、装着時、筒状を呈するカバー部１７がシール部１３から軸方向一方へ向けて庇状に張り出した状態とされるため、外部の泥水やダスト等の異物がシール部１３に近付きにくくなり、少なくとも近付く量を減少させることが可能とされている。
【００２２】
また、カバー部１７が設けられていないと小径側スプライン軸のうちシール部１３から軸方向一方へ突出する部分の外周面に泥水やダスト等の異物が付着し、この付着した異物が軸ストロークにしたがってシール部１３のほうへ引き込まれるおそれがあるが、カバー部１７が設けられていると前記外周面に異物が付着にくくなり、少なくとも付着する量を減少させることが可能とされている。したがってこのような点からしても異物がシール部１３に近付きにくくなる。
【００２３】
また、カバー部１７の内周面が軸方向一方へ向けて内径寸法が徐々に拡大する向きに傾斜したテーパ面１８として形成されているため、カバー部１７の内周側に異物が侵入しても、この異物を回転時の遠心力によりテーパ面１８の傾斜に沿って外部へ戻すことが可能とされている。
【００２４】
また、カバー部１７の内周面に回転時に流体ポンピング作用を発揮するネジ部１９が設けられているため、カバー部１７の内周側に異物が侵入しても、この異物を回転時の流体ポンピング作用によりネジ部１９の螺旋に沿って外部へ戻すことが可能とされている。
【００２５】
したがって上記構成の密封装置１１によれば、カバー部１７、テーパ面１８およびネジ部１９によってシール性を高めることができ、過酷な条件下であっても泥水やダスト等の異物が侵入するのを抑制することができる。
【符号の説明】
【００２６】
１１  密封装置
１２  取付部
１３  シール部
１４  凹凸形状
１５，６２  係合部
１６  シール部端面
１７  カバー部
１８  テーパ面
１９  ネジ部
１９ａ  ネジ部一方の端部
１９ｂ  ネジ部他方の端部
６１  大径側スプライン軸
６３  先端面
【図１】
2017155807.tif 000003
【図２】
2017155807.tif 000004
【図３】
2017155807.tif 000005